(57)【要約】      （修正有）【課題】ユーザーが跳躍しても内部のクッション体が形崩れせずに十分な反発力を得ることが可能な跳躍具を提供する。【解決手段】跳躍具１は、クッション体１０と、底材と、カバー材１２と、を備える。クッション体１０は、所定の形状を有する。底材は、可撓性の板材で構成され、本体部１１ａがクッション体１０の底面の形状に対応する形状であり、クッション体１０の底面に敷かれ、本体部１１ａの周端から延出された複数の側部１１ｂが、本体部１１ａの形状の辺で折り曲げられて、クッション体１０の底面から側面の一部までを覆う。カバー材１２は、クッション体１０の形状と同等の形状を有し、底材で覆われたクッション体１０の外表面全体を被覆する。ユーザーがカバー材１２の平面で跳躍して、クッション体１０の平面に圧力が掛かると、底材の複数の側部１１ｂがクッション体１０の側面の変形を抑止する。【選択図】図６
0003234791.tif 000002
【実用新案登録請求の範囲】
【請求項１】
所定の形状を有するクッション体と、
可撓性の板材で構成され、本体部が前記クッション体の底面の形状に対応する形状であり、前記クッション体の底面に敷かれ、前記本体部の周端からそれぞれ延出された複数の側部が、前記本体部の周端でそれぞれ直角に折り曲げられて、前記クッション体の底面から側面の一部までを覆う底材と、
前記クッション体の形状と同等の形状を有し、前記底材が覆われたクッション体の外表面全体を被覆するカバー材と、
を備え、
ユーザーが前記カバー材の平面で跳躍して、前記クッション体の平面に圧力が掛かると、前記底材の複数の側部が前記クッション体の側面の変形を抑止する、
跳躍具。
【請求項２】
両端部が、前記カバー材の一側面に、当該カバー材の側面の周方向に沿って所定の間隔を空けて取り付けられることで形成された取手部と、
前記取手部に対抗する位置の底材の側部に開口して設けられた切り欠きと、
を更に備える
請求項１に記載の跳躍具。
【考案の詳細な説明】
【技術分野】
【０００１】
本考案は、跳躍具に関する。
【背景技術】
【０００２】
従来より、身体の跳躍機能の強化のために、遊具用やスポーツ用としての跳躍具の技術が多種存在する。
【０００３】
例えば、実開昭４８−９２０６２号公報（特許文献１）には、固定基台と上面円盤との間に弾力部材を装着し、その周囲をアコーディオンカバーで被包せしめた跳躍遊具が開示されている。これにより、老幼男女を問わず上面円盤上に乗って自ら跳躍して運動あるいは遊戯するもので、内装した弾力部材の弾発作用を受け、人の運動本能を満足させる利点があり、全体は軽量で取り扱いが便利かつ安全であるほか、製作容易なる等の実用的効果を有するとしている。
【０００４】
又、特開２００５−２２４４５３号公報（特許文献２）には、複数の伸縮性を有する線条が立体的に不規則に絡まって部分的に溶着された立体網状構造体からなる跳躍具が開示されている。これにより、高反発力を有する立体網状構造体により高く跳躍することができるとともに、この高反発力による跳躍が、跳躍具の表面全体において、どこでも均等に行うことができ、複数の人が同時に高反発力によって跳躍して運動したり遊んだりすることができるとしている。又、従来のトランポリンと比べて安価で、かつ、種々な場所に容易に設置でき、更に、広い範囲に連続して配置し、多数の人が一緒に跳躍することができ、使用場所に合った大きさの跳躍具を容易に形成することができるとしている。
【先行技術文献】
【特許文献】
【０００５】
【特許文献１】実開昭４８−９２０６２号公報
【特許文献２】特開２００５−２２４４５３号公報
【考案の概要】
【考案が解決しようとする課題】
【０００６】
近年、新型コロナウイルス感染症の影響もあり、屋内で気軽に跳躍運動（ジャンプ運動）や踏み台昇降運動が出来る跳躍具（クッション）が登場してきている。このような跳躍具は、主に、消音や衝撃吸収用のクッション体をカバー材で包む簡単な構成であり、特に、屋内用の跳躍具では、全体が小型化・軽量化されている。
【０００７】
しかしながら、このような跳躍具では、簡単な構成であることから、ユーザーが跳躍具の上で飛び跳ねると、クッション体がユーザーの重さに耐えられずに、クッション体の側面が容易に押し出されて、クッション体がつぶされ、十分な反発力が得られないという課題がある。又、クッション体の形状がつぶれると、ユーザーがバランスを崩したり、跳躍具自体がひっくり返ったりする課題がある。そのため、ユーザーが跳躍具を使用している最中に、カバー材内のクッション体が形崩れせずに十分な反発力が得られる技術が求められていた。
【０００８】
特許文献１に記載の技術では、アコーディオンカバーで弾力部材を被覆している。特許文献２に記載の技術では、立体網状構造体の外面を布などの可撓性材料や伸縮性材料からなる被覆材により被覆して跳躍具を形成している。しかしながら、これらの技術でも、ユーザーの使用時に弾性部材や立体網状構造体の形状が変更する可能性もあり、上述の課題を解決することが出来ない。
【０００９】
そこで、本考案は、課題を解決するためになされたものであり、ユーザーが跳躍しても内部のクッション体が形崩れせずに十分な反発力を得ることが可能な跳躍具を提供することを目的とする。
【課題を解決するための手段】
【００１０】
本考案に係る跳躍具は、クッション体と、底材と、カバー材と、を備える。クッション体は、所定の形状を有する。底材は、可撓性の板材で構成され、本体部が前記クッション体の底面の形状に対応する形状であり、前記クッション体の底面に敷かれ、前記本体部の周端からそれぞれ延出された複数の側部が、前記本体部の周端でそれぞれ直角に折り曲げられて、前記クッション体の底面から側面の一部までを覆う。カバー材は、前記クッション体の形状と同等の形状を有し、前記底材が覆われたクッション体の外表面全体を被覆する。本考案に係る跳躍具は、ユーザーが前記カバー材の平面で跳躍して、前記クッション体の平面に圧力が掛かると、前記底材の複数の側部が前記クッション体の変形を抑止する。
【考案の効果】
【００１１】
本考案によれば、ユーザーが跳躍しても内部のクッション体が形崩れせずに十分な反発力を得ることが可能となる。
【図面の簡単な説明】
【００１２】
【図１】本考案の実施形態に係る底板の展開図とクッション体と底板の組立図とである。
【図２】本考案の実施形態に係るクッション体と底板の斜視図と正面図と背面図と右側面図とである。
【図３】本考案の実施形態に係るクッション体と底板の平面図と底面図とＡ−Ａ線断面図とＢ−Ｂ線断面図とである。
【図４】本考案の実施形態に係るカバー材を開けた状態の組立図とクッション体と底板とをカバー材の内部に入れる際の組立図とである。
【図５】本考案の実施形態に係るカバー材を閉じる際の組立図と跳躍具の正面斜視図と背面斜視図とである。
【図６】従来に係る跳躍具のクッション体の側面の変形を示す断面図と本考案に係る跳躍具のクッション体の側面の変形を示す断面図とである。
【図７】本考案の実施形態に係る跳躍具で跳躍運動をしている状態を示す参考斜視図である。
【図８】本考案の実施形態に係る跳躍具で踏み台昇降運動をしている状態を示す参考斜視図である。
【図９】本考案の実施形態に係る跳躍具の取手部と切り欠きとを示す正面斜視図とクッション体の構成例を示す正面図とである。
【図１０】本考案の実施形態に係る跳躍具の多種多様な形状例を示す正面斜視図である。
【考案を実施するための形態】
【００１３】
以下に、添付図面を参照して、本考案の実施形態について説明し、本考案の理解に供する。尚、以下の実施形態は、本考案を具体化した一例であって、本考案の技術的範囲を限定する性格のものではない。
【００１４】
本考案に係る跳躍具１は、図１−図５に示すように、クッション体１０と、底材１１と、カバー材１２と、を備える。ここで、クッション体１０は、所定の形状を有する。又、本考案の実施形態では、クッション体１０は、最も単純な形状である直方体（四角柱）を有している。
【００１５】
又、底材１１は、可撓性の板材で構成され、本体部１１ａがクッション体１０の底面の形状に対応する形状であり、クッション体１０の底面に敷かれ、本体部１１ａの周端からそれぞれ延出された複数の側部１１ｂが、本体部１１ａの周端でそれぞれ直角に折り曲げられて、クッション体１０の底面から側面の一部までを覆う。ここで、本考案の実施形態では、クッション体１０と底材１１とを併せて跳躍具１の中材を構成する。又、図１−図５では、本体部１１ａが正方形であるため、４つの側部１１ｂが、本体部１１ａの周端（ここでは、４つの辺）でそれぞれ直角に折り曲げられることになる。つまり、本体部１１ａの形状が多角形である場合、側部１１ｂは、本体部１１ａの周端を構成する多角形の各辺から延出されて直角に折り曲げられる。
【００１６】
更に、カバー材１２は、クッション体１０の形状と同等の形状を有し、底材１１が覆われたクッション体１０の外表面全体を被覆する。本考案の実施形態では、カバー材１２がクッション体１０の形状と同等の直方体を有し、カバー材１２の側面に切り込みが入れられ、切り込みを開閉可能とする接続部１２ａが設けられている。接続部１２ａは、例えば、ジッパー型のファスナーである。
【００１７】
そして、本考案に係る跳躍具１は、ユーザーがカバー材１２の平面で跳躍して、クッション体１０の平面に圧力が掛かると、底材１１の複数の側部１１ｂがクッション体１０の変形を抑止する。これにより、ユーザーが跳躍しても内部のクッション体が形崩れせずに十分な反発力を得ることが可能となる。
【００１８】
即ち、図６に示すように、本考案では、ユーザーがカバー材１２の平面で跳躍して、クッション体１０に大きな圧力が加わり、クッション体１０の側面が外部に押し出されようとしても、底面１１の複数の側部１１ｂが本体部１１ａの周端から直角に折り曲げられ、底材１１の本体部１１ａと複数の側部１１ｂが、クッション体１０の底面から側面の一部までを全体的に覆っているため、底材１１の側部１１ｂがクッション体１０の側面を押し返し、クッション体１０の形状の変形を抑止する。言い換えると、底材１１は、図３に示すように、断面視において、クッション体１０の底面から両方の側面の一部までをコの字状に覆っている。これにより、クッション体１０に加わったユーザーの圧力がクッション体１０の側面から逃げることが出来ず、クッション体１０がユーザーの圧力を反発力としてユーザーに押し返すため、ユーザーに十分な反発力が生じる。その結果、クッション体１０が形崩れせずに十分な反発力を得ることが可能となる。
【００１９】
又、クッション体１０が形崩れすることがないため、ユーザーが強く跳躍したとしても、クッション体１０の形が崩れて、ユーザーがバランスを崩したり、跳躍具１自体がひっくり返ったりすることが無い。そのため、ユーザーは安全に跳躍運動を続けることが出来るのである。
【００２０】
ここで、図６に示すように、例えば、従来に係る跳躍具２では、クッション体１０をカバー材１２で被覆した簡単な構成である。そのため、ユーザーがカバー材１２の平面で跳躍して、クッション体１０に大きな圧力が加わり、クッション体１０の側面が外部に押し出されるようにクッション体１０が変形すると、クッション体１０の変形を抑止する素材が存在しないことから、クッション体１０を被覆するカバー材１２もクッション体１０の変形とともに変形し、クッション体１０に加わったユーザーの圧力がクッション体１０の側面から逃げる。そして、クッション体１０はつぶれてしまう。これにより、クッション体１０の変形によりユーザーの圧力が逃げて、クッション体１０の反発力が生じ難くなる。更に、クッション体１０がつぶれることで、ユーザーがバランスを崩したり、跳躍具２自体がひっくり返ったりするのである。このような跳躍具２では、ユーザーが跳躍運動をしても、跳躍感を十分に得ることが出来ないとともに、運動効率も悪く、消費エネルギーも低くなる。
【００２１】
ここで、本考案に係る跳躍具１で跳躍運動の消費カロリーを測定したところ、例えば、ユーザーが、２０回の跳躍運動を１セットとして、連続して３セット行った場合、約１６．８ｋｃａｌのエネルギーが消費カロリーとして消費されていることが分かった。この消費カロリーは、ユーザーがウォーキングを１分間行った場合の約４．９倍のエネルギーに相当する。つまり、本考案に係る跳躍具１では、クッション体１０の変形も無く、且つ、十分な反発力が得られるため、跳躍運動を行ったユーザーに大きな負荷が掛かり、消費カロリーが大きくなったと考えられる。従って、本考案に係る跳躍具１では、跳躍効果、エクササイズ効果、ダイエット効果等を少ない時間で効率的に得ることが可能である。
【００２２】
このように、本考案では、ユーザーが跳躍しても内部のクッション体が形崩れせずに十分な反発力を得ることが可能であるため、本考案に係る跳躍具１は、図７−図８に示すように、大人の跳躍運動はもちろん、子供の跳躍運動や大人の踏み台昇降運動、屋内での簡単な足踏み運動等に好適であり、体幹、美脚、ヒップアップ、有酸素運動等、屋内で気軽に行うエクササイズには最適である。特に、クッション体１０は、消音や衝撃吸収の機能も有することから、屋内用の跳躍具１としても有効である。
【００２３】
又、本考案に係る跳躍具１は、見た目がトランポリンのような大掛かりな構成と異なり、家具に馴染む構成であることから、インテリアとしても目立たずに置いておくことが可能となる。又、本考案に係る跳躍具１は、背もたれの無い一人用の椅子（腰掛け）のスツールや椅子やソファーの前に置いて使う足乗せ用ソファーのオットマンとしても使用することが可能である。
【００２４】
ここで、本考案では、図１、図２、図４、図５、図９に示すように、両端部が、カバー材１２の一側面に、カバー材１２の側面の周方向に沿って所定の間隔を空けて取り付けられることで形成された取手部１２ｂと、取手部１２ｂに対抗する位置の底材１１の側部１１ｂに開口して設けられた切り欠き１１ｃと、を更に備えても良い。つまり、側部１１ｂにおいて、取手部１２ｂの両端部の間に切り欠き１１ｃが存在することになる。これにより、ユーザーが取手部１２ｂを持った際に、ユーザーの手が底板１１の側部１１ｂに接触せずにクッション体１０の側面に接触するため、ユーザーの持ち易さを向上させることが可能となる。
【００２５】
又、クッション体１０の構成に特に限定は無いが、例えば、図９に示すように、単層のクッション体１０で構成されても良いし、多層のクッション体１０で構成されても構わない。図９では、単層から四層までのクッション体１０を例示している。
【００２６】
又、クッション体１０の素材に特に限定は無いが、例えば、発泡ポリエチレン（ＥＰＥ）、発泡オレフィン系樹脂、ウレタンスポンジ、ウレタンフォーム（高反発ウレタンフォーム、低反発ウレタンフォーム等）、立体網状構造体等を挙げることが出来る。例えば、クッション体１０の構成として、上方から、発泡ポリエチレン、ウレタンフォーム、発泡ポリエチレンの三層のクッション体１０で構成しても良い。クッション体１０の素材は、その他に、エチレン-酢酸ビニル共重合樹脂（ＥＶＡ）、メラミン樹脂、熱可塑性エラストマー（ＴＰＥ）（ＴＰＲ）、天然スポンジ、ゴム等の弾性体を挙げることが出来る。
【００２７】
又、多層のクッション体１０の場合、各層の厚みに特に限定は無いが、例えば、発泡ポリエチレン、ウレタンフォーム、発泡ポリエチレンの三層のクッション体１０の場合は、上方の発泡ポリエチレンの厚みは４．０ｃｍ−６．０ｃｍの範囲内、中間のウレタンフォームの厚みは５．０ｃｍ−１０．０ｃｍの範囲内、下方の発泡ポリエチレンの厚みは０．５ｃｍ−２．０ｃｍの範囲内を挙げることが出来る。
【００２８】
又、クッション体１０の寸法に特に限定は無いが、例えば、クッション体１０が直方体の場合、縦寸法は１０ｃｍ−１８ｃｍの範囲内であり、横寸法は４０ｃｍ−４８ｃｍの範囲内であり、奥行き寸法は３５ｃｍ−４５ｃｍの範囲内であると好ましい。これにより、程よい面積と高さになるため、簡単な跳躍運動を気軽に行うことが出来る。
【００２９】
又、底材１１の構成に特に限定は無く、クッション体１０の形状に対応して構成され、例えば、図１に示すように、クッション体１０の形状が直方体である場合は、クッション体１０の底面から四方の側面の一部を覆うように、底材１１は、本体部１１ａが正方形に構成され、側部１１ｂは、正方形状の本体部１１ａの周端の４つの辺のそれぞれから設けられた十字の形状に構成することが出来る。
【００３０】
又、底材１１の素材に特に限定は無いが、例えば、可撓性のプラスチック樹脂、厚紙、段ボール等を挙げることが出来る。更に、底材１１の厚みに特に限定は無いが、例えば、０．１ｍｍ−０．５ｍｍの範囲内を挙げることが出来る。そして、底材１１の角部に特に限定は無いが、例えば、図１に示すように、角部を切断して、丸みを設けても良い。又、底材１１の側部１１ｂが覆う範囲は、クッション体１０の側面の一部であれば、特に限定は無いが、例えば、クッション体１０の側面の全体に対して１／４〜３／４の範囲内であると好ましく、１／３〜２／３の範囲内であると更に好ましい。尚、図１では、底材１１の側部１１ｂが覆う範囲は、クッション体１０の側面の全体に対して１／３であり、この範囲であっても、本考案の作用効果を十分に発揮する。
【００３１】
又、底材１１に設けられる切り欠き１１ｃの形状に特に限定は無いが、例えば、図１に示すように、台形でも良いし、三角形や四角形、多角形、半円形、半楕円形等を挙げることが出来る。切り欠き１１ｃがどのような形状であっても、側部１１ｂにおいて、取手部１２ｂの両端部の間に存在することには変わりない。
【００３２】
又、カバー材１２の構成に特に限定は無いが、例えば、図４−図５では、カバー材１２の側面に切り込みが入れられ、カバー材１２を開閉可能としたが、これに限らず、例えば、カバー材１２の平面部の周端にコの字状の切り込みを入れてもカバー材１２を開閉可能にしても良いし、他の形態で切り込みを入れても構わない。又、切り込みの開閉を可能とする接続部１２ａの構成に特に限定は無いが、例えば、ジッパー型のファスナーに限らず、チャックやホック、面ファスナー等であっても構わない。
【００３３】
又、カバー材１２の素材に特に限定は無いが、例えば、クッション生地や織物生地、編物生地、不織布等を挙げることが出来る。更に、カバー材１２の目付に特に限定は無いが、例えば、２００ｇ／ｍ２−３００ｇ／ｍ２の範囲内を挙げることが出来る。
【００３４】
又、カバー材１２の生地の種類に特に限定は無いが、例えば、ナイロンやポリウレタン、ポリエステル、アクリル、ポリプロピレン等の合成繊維、綿、麻、絹等の天然繊維等を挙げることが出来る。更に、カバー材１２の生地は、通気性の良いメッシュ生地や保温性のよい起毛生地にしても構わない。
【００３５】
又、カバー材１２の底面の構成に特に限定は無いが、例えば、カバー材１２の底面に樹脂をコーティングすることで形成された滑り止め部を設けても良い。これにより、跳躍具１を屋内の床面に設置して、ユーザーが跳躍具１の平面で跳躍運動をしても、カバー材１２の底面の滑り止め部が床面で滑らずに固定されるため、跳躍具１の変動や滑りを防止し、ユーザーが安心して跳躍運動を行うことが可能となる。
【００３６】
又、カバー材１２の平面の構成に特に限定は無いが、例えば、使用時に足を置く場所を示すマークを設けても良い。マークの構成に特に限定は無いが、例えば、足の形状や二枚の羽根型の形状を挙げることが出来る。これにより、ユーザーはマークを目印にして跳躍することが出来るため、安全に跳躍運動を継続することが出来る。
【００３７】
又、取手部１２ｂの構成に特に限定は無いが、例えば、図９に示すように、幅が広い生地で構成しても良いし、幅が狭い生地で構成しても構わない。
【００３８】
又、本考案に係る跳躍具１の形状に特に限定は無いが、例えば、直方体以外に、図１０に示すように、三角柱、六角柱、八角柱、多角柱、円柱、楕円柱、星型五角柱、星形六角柱、星形八角柱、星形多角柱等を挙げることが出来る。跳躍具１の形状が変更することで、クッション体１０の形状や底材１１の形状も変更されるが、底材１１の本体部１１ａの形状は、基本的には、クッション体１０の底面の形状に対応し、底材１１の側部１１ｂは、本体部１１ａの周端を構成する複数の辺からそれぞれ延出される。クッション体１０の形状が円柱や楕円柱等の曲面を有する場合は、底材１１の本体部１１ａの形状は、クッション体１０の底面の形状に外挿する多角形に対応し、底材１１の側部１１ｂは、本体部１１ａの周端を構成する複数の辺から延出されることになる。そして、カバー材１２の形状は、クッション体１０の形状と同等の形状となる。このように構成しても、本考案に係る作用効果を得ることが可能である。
【００３９】
又、本考案の実施形態では、跳躍具１の構成に、更に、他の機能や他のデザインを追加しても構わない。
【産業上の利用可能性】
【００４０】
以上のように、本考案は、遊具用やスポーツ用の跳躍具としてとして有用であり、ユーザーが跳躍しても内部のクッション体が形崩れせずに十分な反発力を得ることが可能な跳躍具として有効である。
【符号の説明】
【００４１】
１    跳躍具
１０  クッション体
１１  底材
１２  カバー材
【図１】
0003234791.tif 000003
【図２】
0003234791.tif 000004
【図３】
0003234791.tif 000005
【図４】
0003234791.tif 000006
【図５】
0003234791.tif 000007
【図６】
0003234791.tif 000008
【図７】
0003234791.tif 000009
【図８】
0003234791.tif 000010
【図９】
0003234791.tif 000011
【図１０】
0003234791.tif 000012